(57)【要約】【課題】  種々のサイズの網カゴや三角コーナ容器などに対応することができる水切り具を提供する。【解決手段】  ロッド部４と、ロッド部４の下端部に設けられた押圧部６と、を備えた水切り具２であり、押圧部６は、ロッド部４の下端部に設けられた内側押圧部８と、内側押圧部８の外側に着脱自在に取り付けられる外側押圧部１０と、を備えている。内側押圧部８の外周部には雄ねじ部１２が設けられ、外側押圧部１０の内周部には雄ねじ部１２と相互に着脱自在に螺合される雌ねじ部１６が設けられている。【選択図】  図２
0003134979.tif 000002
【実用新案登録請求の範囲】
【請求項１】
ロッド部と、前記ロッド部の下端部に設けられた押圧部と、を備えた水切り具において、
前記押圧部は、前記ロッド部の下端部に設けられた内側押圧部と、前記内側押圧部の外側に着脱自在に取り付けられる外側押圧部と、を備えていることを特徴とする水切り具。
【請求項２】
前記内側押圧部の外周部には雄ねじ部が設けられ、前記外側押圧部の内周部には前記雄ねじ部と相互に着脱自在に螺合される雌ねじ部が設けられていることを特徴とする請求項１に記載の水切り具。
【請求項３】
前記内側押圧部の外周部にはロック用突部又はロック用凹部が設けられ、前記外側押圧部の内周部には前記ロック用突部又はロック用凹部と相互に着脱自在に係合されるロック用凹部又はロック用突部が設けられていることを特徴とする請求項１に記載の水切り具。
【請求項４】
前記外側押圧部を複数備えており、前記複数の外側押圧部の一つは円形状に構成され、また前記複数の外側押圧部の他の一つは三角形状に構成されていることを特徴とする請求項１〜３のいずれかに記載の水切り具。
【請求項５】
前記内側押圧部及び前記外側押圧部はそれぞれ円形状に構成され、前記内側押圧部の直径は４〜６ｃｍに構成され、また前記外側押圧部の直径は１０〜１２ｃｍに構成されていることを特徴とする請求項１〜３のいずれかに記載の水切り具。
【考案の詳細な説明】
【技術分野】
【０００１】
本考案は、例えば流し台の排水口に装着された網カゴや、流し台に設置される三角コーナ容器などに溜まった生ゴミを脱水するための水切り具に関する。
【背景技術】
【０００２】
例えば台所で調理などを行うと、流し台の排水口に装着された網カゴや流し台に設置される三角コーナ容器などには、調理の際に生じた生ゴミが溜まるようになる。このような生ゴミには水分が含まれており、この生ゴミを捨てる際には生ゴミを脱水することが好ましく、これにより悪臭の発生などが抑制される。従来より、生ゴミを脱水する際には水切り具が用いられており、この水切り具は、ロッド部と、ロッド部の上端部に設けられた把持部と、ロッド部の下端部に設けられた押圧部と、を備えている（例えば、特許文献１参照）。
【０００３】
網カゴや三角コーナ容器などの内部に溜まった生ゴミを脱水する際には、押圧部を網カゴや三角コーナ容器などの内部に挿入し、把持部を把持して押圧部を生ゴミに押圧させることにより、生ゴミが押圧部により絞られて脱水される。
【０００４】
【特許文献１】特開２００３−１３５９０９号公報
【考案の開示】
【考案が解決しようとする課題】
【０００５】
しかしながら、上述のような従来の水切り具では、次のような問題がある。網カゴや三角コーナ容器などには種々のサイズのものが存在するため、押圧部のサイズが網カゴや三角コーナ容器などのサイズに対応していない場合には、網カゴや三角コーナ容器などの内部に溜まった生ゴミを効率良く脱水することができないという問題がある。
【０００６】
本考案の目的は、種々のサイズの網カゴや三角コーナ容器などに対応することができる水切り具を提供することである。
【課題を解決するための手段】
【０００７】
本考案の請求項１に記載の水切り具では、ロッド部と、前記ロッド部の下端部に設けられた押圧部と、を備えた水切り具において、
前記押圧部は、前記ロッド部の下端部に設けられた内側押圧部と、前記内側押圧部の外側に着脱自在に取り付けられる外側押圧部と、を備えていることを特徴とする。
【０００８】
また、本考案の請求項２に記載の水切り具では、前記内側押圧部の外周部には雄ねじ部が設けられ、前記外側押圧部の内周部には前記雄ねじ部と相互に着脱自在に螺合される雌ねじ部が設けられていることを特徴とする。
【０００９】
さらに、本考案の請求項３に記載の水切り具では、前記内側押圧部の外周部にはロック用突部又はロック用凹部が設けられ、前記外側押圧部の内周部には前記ロック用突部又はロック用凹部と相互に着脱自在に係合されるロック用凹部又はロック用突部が設けられていることを特徴とする。
【００１０】
また、本考案の請求項４に記載の水切り具では、前記外側押圧部を複数備えており、前記複数の外側押圧部の一つは円形状に構成され、また前記複数の外側押圧部の他の一つは三角形状に構成されていることを特徴とする。
【００１１】
さらに、本考案の請求項５に記載の水切り具では、前記内側押圧部及び前記外側押圧部はそれぞれ円形状に構成され、前記内側押圧部の直径は４〜６ｃｍに構成され、また前記外側押圧部の直径は１０〜１２ｃｍに構成されていることを特徴とする。
【考案の効果】
【００１２】
本考案の請求項１に記載の水切り具によれば、押圧部は、ロッド部の下端部に設けられた内側押圧部と、内側押圧部の外側に着脱自在に取り付けられる外側押圧部と、を備えているので、例えば流し台の排水口に装着された網カゴや流し台に設置される三角コーナ容器などのサイズに応じて、押圧部のサイズを容易に変更することができる。例えば、外側押圧部を内側押圧部から取り外すことにより押圧部のサイズは比較的小さくなり、これにより比較的サイズの小さい網カゴや三角コーナ容器などに対応することができ、また外側押圧部を内側押圧部に取り付けることにより押圧部のサイズは比較的大きくなり、これにより比較的サイズの大きい網カゴや三角コーナ容器などに対応することができ、それ故に、網カゴや三角コーナ容器などの内部に溜まった生ゴミを効率良く脱水することができる。従って、種々のサイズの網カゴや三角コーナ容器などに対応することができ、汎用性に優れた水切り具を提供することができる。なお、外側押圧部の外形状は、網カゴや三角コーナ容器などの外形状に応じて、例えば円形状や三角形状、四角形状など種々の外形状に構成することができる。
【００１３】
また、本考案の請求項２に記載の水切り具によれば、内側押圧部の外周部には雄ねじ部が設けられ、外側押圧部の内周部には雄ねじ部と相互に着脱自在に螺合される雌ねじ部が設けられているので、外側押圧部の内側押圧部に対する着脱を容易に行うことができる。また、外側押圧部を内側押圧部に確実に取り付けることができ、生ゴミを押圧した際に外側押圧部が内側押圧部より外れるのを防止することができる。
【００１４】
さらに、本考案の請求項３に記載の水切り具によれば、内側押圧部の外周部にはロック用突部又はロック用凹部が設けられ、外側押圧部の内周部にはロック用突部又はロック用凹部と相互に着脱自在に係合されるロック用凹部又はロック用突部が設けられているので、外側押圧部の内側押圧部に対する着脱を容易に行うことができる。また、外側押圧部を内側押圧部に確実に取り付けることができ、生ゴミを押圧した際に外側押圧部が内側押圧部より外れるのを防止することができる。
【００１５】
また、本考案の請求項４に記載の水切り具によれば、外側押圧部を複数備えており、複数の外側押圧部の一つは円形状に構成され、また複数の外側押圧部の他の一つは三角形状に構成されているので、複数の外側押圧部を選択的に用いることにより、用途などに応じて外側押圧部の外形状を容易に変更することができる。例えば、円形状の網カゴに溜まった生ゴミを脱水する際には、円形状の外側押圧部を内側押圧部に取り付け、また三角コーナ容器に溜まった生ゴミを脱水する際には、三角形状の外側押圧部を内側押圧部に取り付けることにより、網カゴや三角コーナ容器などの内部に溜まった生ゴミを効率良く脱水することができる。
【００１６】
さらに、本考案の請求項５に記載の水切り具によれば、内側押圧部及び外側押圧部はそれぞれ円形状に構成され、内側押圧部の直径は４〜６ｃｍに構成され、また外側押圧部の直径は１０〜１２ｃｍに構成されているので、外側押圧部を内側押圧部より取り外すことにより、サイズの比較的小さい（例えば、直径約５〜７ｃｍ）円形状の網カゴに対応することができ、また外側押圧部を内側押圧部に取り付けることにより、サイズの比較的大きい（例えば、直径約１１〜１３ｃｍ）円形状の網カゴに対応することができる。
【考案を実施するための最良の形態】
【００１７】
以下、添付図面を参照して、本考案に従う水切り具の各種実施形態について説明する。
［第１の実施形態］
まず、図１〜図４を参照して、第１の実施形態の水切り具について説明する。図１は、本考案の第１の実施形態による水切り具を示す斜視図であり、図２は、図１の水切り具を示す分解斜視図であり、図３は、図１の外側押圧部を内側押圧部に取り付けた状態で網カゴに溜まった生ゴミを脱水する状態を示す概略断面図であり、図４は、図１の外側押圧部を内側押圧部より取り外した状態で網カゴに溜まった生ゴミを脱水する状態を示す概略断面図である。
【００１８】
図１及び図２において、図示の水切り具２は、ロッド部４と、ロッド部４の下端部に設けられた押圧部６と、を備えている。以下、これら各構成要素について説明する。
ロッド部４は、断面円形状の細長い棒状に構成され、例えばプラスチックあるいはステンレスやアルミニウムなどの金属などから形成されている。ロッド部４の直径は例えば約３ｃｍに構成され、またその長さは例えば約２０ｃｍに構成されている。
【００１９】
押圧部６は、ロッド部４の下端部に設けられた内側押圧部８と、内側押圧部８の外側に着脱自在に取り付けられる外側押圧部１０と、を備えている。内側押圧部８は円形状に構成され、その外周部には雄ねじ部１２が設けられている。内側押圧部８の直径Ｄ１は例えば約５ｃｍに構成され、その厚さは約１．５ｃｍに構成されている。また、外側押圧部１０は中央部に開口部１４を有する円形状（即ち、ドーナツ状）に構成され、その内周部には、内側押圧部８の雄ねじ部１２と相互に着脱自在に螺合される雌ねじ部１６が設けられている。外側押圧部１０の直径Ｄ２は約１１ｃｍ、開口部１４の直径Ｄ１は約５ｃｍに構成され、またその厚さは約１．５ｃｍに構成されている。これら内側押圧部８及び外側押圧部１０はそれぞれ、例えばプラスチックあるいはステンレスやアルミニウムなどの金属などから形成されている。
【００２０】
内側押圧部８を外側押圧部１０の開口部１４に挿入し、内側押圧部８を外側押圧部１０に対して相対的に所定方向（例えば、図１中の矢印Ｐで示す方向）に回動させると、内側押圧部８の雄ねじ部１２と外側押圧部１０の雌ねじ部１６とが相互に螺合され、これにより外側押圧部１０が内側押圧部８の外側に取り付けられ、押圧部６全体の直径は外側押圧部１０の直径Ｄ２である約１１ｃｍとなって比較的大きくなる。また、内側押圧部８を外側押圧部１０に対して相対的に上記所定方向とは反対方向（例えば、図１中の矢印Ｑで示す方向）に回動させることにより、外側押圧部１０が内側押圧部８より取り外され、押圧部６全体の直径は内側押圧部８の直径Ｄ１である約５ｃｍとなって比較的小さくなる。
【００２１】
次に、図３及び図４をも参照して、上述した水切り具２の使用方法について説明すると、次の通りである。例えば台所の流し台の排水口１８（２３）には、有底状且つ円筒状の網カゴ２０（２４）が着脱自在に装着されており、この網カゴ２０（２４）の内部には、調理などの際に生じた生ゴミ２２（２６）が溜まるようになる。
【００２２】
図３に示すように、網カゴ２０の直径Ｌ１が比較的大きい（例えば、直径約１２ｃｍ）場合には、外側押圧部１０を内側押圧部８の外側に取り付けた状態で押圧部６を網カゴ２０の内部に挿入し、ロッド部４の上端部を把持して押圧部６を網カゴ２０の内部の生ゴミ２２に押圧させると、この生ゴミ２２が押圧部６の下面と網カゴ２０の内底面との間にプレスされることにより、生ゴミ２２が絞られて脱水される。押圧部６全体の直径Ｄ２は網カゴ２０の直径Ｌ１に対応しているので、網カゴ２０の内部に溜まった生ゴミ２２のほぼ全体を押圧部６により押圧させることができ、生ゴミ２２を効率良く脱水することができる。なお、生ゴミ２２から除去された水分は、網カゴ２０の側部又は底部を通して排水口１８へと排出される。
【００２３】
また、図４に示すように、排水口２３に装着された網カゴ２４の直径Ｌ２が比較的小さい（例えば、直径約６ｃｍ）場合には、外側押圧部１０を内側押圧部８から取り外した状態で押圧部６を網カゴ２４の内部に挿入し、ロッド部４の上端部を把持して押圧部６を網カゴ２４の内部の生ゴミ２６に押圧させる。押圧部６全体の直径Ｄ１は網カゴ２４の直径Ｌ２に対応しているので、網カゴ２４の内部に溜まった生ゴミ２６のほぼ全体を押圧させることができ、生ゴミ２６を効率良く脱水することができる。
【００２４】
この第１の実施形態の水切り具２では、網カゴ２０，２４のサイズに対応して押圧部６のサイズを容易に変更することができ、それ故に、種々のサイズの網カゴ２０，２４に対応することができ、汎用性に優れた水切り具２を提供することができる。
【００２５】
［第２の実施形態］
次に、図５を参照して、第２の実施形態の水切り具について説明する。図５は、本考案の第２の実施形態による水切り具を示す分解斜視図である。なお、以下の実施形態において、第１の実施形態と実質上同一の構成要素には同一の符号を付し、その説明を省略する。
【００２６】
この第２の実施形態の水切り具２Ａでは、内側押圧部８Ａの外周部には一対のロック用突部２８が設けられ、また外側押圧部１０Ａの外周部には、内側押圧部８Ａの一対のロック用突部２８に対応して一対のロック用凹部３０が設けられている。ロック用凹部３０は略Ｌ字状に構成され、外側押圧部１０Ａの上端面よりその軸方向に延びた後に、外側押圧部１０Ａの周方向（例えば、外側押圧部１０Ａの上側から見て時計方向）に延びている。
【００２７】
外側押圧部１０Ａを内側押圧部８Ａの外側に取り付ける際には、一対のロック用突部２８がそれぞれ一対のロック用凹部３０に受け入れられるようにして、内側押圧部８Ａを外側押圧部１０Ａの開口部１４Ａに挿入すると、ロック用突部２８が外側押圧部１０Ａの軸方向にロック用凹部３０に沿って移動される。かかる状態より更に内側押圧部８Ａを外側押圧部１０Ａに対して相対的に所定方向（図５中の矢印Ｒで示す方向）に回動させると、ロック用突部２８が外側押圧部１０Ａの周方向にロック用凹部３０に沿って移動される。これによりロック用突部２８とロック用凹部３０とが相互に係合され、外側押圧部１０Ａの内側押圧部８Ａに対する軸方向の相対的移動がロック保持される。また、外側押圧部１０Ａを内側押圧部８Ａより取り外す際には、上述したのとは反対に、内側押圧部８Ａを外側押圧部１０Ａに対して相対的に上記所定方向とは反対方向（図５中の矢印Ｓで示す方向）に回動させ、更に内側押圧部８Ａを外側押圧部１０Ａの開口部１４Ａより上方に引き抜けばよい。
【００２８】
従って、この第２の実施形態の水切り具２Ａにおいても、上記第１の実施形態と同様の作用効果が達成される。なお、この第２の実施形態では、内側押圧部８Ａの外周部にロック用突部２８を設け、外側押圧部１０Ａの内周部にロック用凹部３０を設けるように構成したが、これとは反対に、内側押圧部８Ａの外周部にロック用凹部３０を設け、外側押圧部１０Ａの内周部にロック用突部２８を設けるように構成してもよい。
【００２９】
［第３の実施形態］
次に、図６を参照して、第３の実施形態の水切り具について説明する。図６は、本考案の第３の実施形態による水切り具を示す斜視図である。
この第３の実施形態の水切り具２Ｂでは、外側押圧部１０Ｂは三角形状に構成され、その中央部には円形状の開口部１４Ｂが設けられている。外側押圧部１０Ｂの外径は、台所の流し台に設置される三角コーナ容器３２の内径よりもやや小さく構成されている。また、上記第１の実施形態と同様に、内側押圧部８の外周部には雄ねじ部（図示せず）が設けられ、また外側押圧部１０Ｂの内周部には雄ねじ部と相互に着脱自在に螺合される雌ねじ部（図示せず）が設けられている。
【００３０】
この水切り具２Ｂを用いて三角コーナ容器３２の内部に溜まった生ゴミ（図示せず）を脱水する際には、外側押圧部１０Ｂを内側押圧部８の外側に取り付けた状態で、押圧部６Ｂを三角コーナ容器３２の内部に挿入し、ロッド部４の上端部を把持して押圧部６Ｂを三角コーナ容器３２の内部の生ゴミに押圧させると、この生ゴミが絞られて脱水される。外側押圧部１０Ｂの外形状は三角コーナ容器３２の外形状に対応しているので、三角コーナ容器３２の内部に溜まった生ゴミを効率良く脱水することができる。また、外側押圧部１０Ｂを内側押圧部８より取り外すことにより、上述したのと同様に、比較的サイズの小さい網カゴ２４に溜まった生ゴミの脱水を行うことができる。
【００３１】
なお、三角形状の外側押圧部１０Ｂ及び円形状の外側押圧部１０をそれぞれ用意しておき、上記第１の実施形態のように、比較的サイズの大きい網カゴ２０に溜まった生ゴミ２２を脱水するときには、円形状の外側押圧部１０を内側押圧部８の外側に取り付ければよく、また三角コーナ容器３２に溜まった生ゴミを脱水するときには、三角形状の外側押圧部１０Ｂを内側押圧部１０の外側に取り付ければい。これにより、網カゴ２０や三角コーナ容器３２の内部に溜まった生ゴミを効率良く脱水することができる。
【００３２】
また、上記第２の実施形態と同様に、内側押圧部１０の外周部にロック用突部又はロック用凹部を設け、外側押圧部１０Ｂの内周部にロック用突部又はロック用凹部と相互に着脱自在に係合されるロック用凹部又はロック用突部を設けるように構成してもよい。
【００３３】
以上、本考案に従う水切り具の各種実施形態について説明したが、本考案はかかる実施形態に限定されるものではなく、本考案の範囲を逸脱することなく種々の変形乃至修正が可能である。
【００３４】
上記各実施形態では、押圧部６（６Ａ）（６Ｂ）を内側押圧部８（８Ａ）及び外側押圧部１０（１０Ａ）（１０Ｂ）から構成したが、例えば次のように構成してもよい。即ち、外側押圧部を第１外側押圧部及び第２外側押圧部（図示せず）から構成し、内側押圧部８（８Ａ）の外側に第１外側押圧部が着脱自在に取り付けられ、この第１外側押圧部の更に外側に第２外側押圧部が着脱自在に取り付けられる。かく構成することにより、内側押圧部８（８Ａ）の外側に第１及び第２外側押圧部が取り付けられた状態では押圧部全体のサイズが比較的大きくなり、また第２外側押圧部が第１外側押圧部より取り外され、内側押圧部８（８Ａ）の外側に第１外側押圧部が取り付けられた状態では押圧部全体のサイズが比較的やや大きくなり、更に第１外側押圧部が内側押圧部８（８Ａ）より取り外された状態では押圧部全体のサイズが比較的小さくなる。これにより、汎用性をより高めることができる。あるいは、サイズの異なる複数の外側押圧部を用意しておき、網カゴ２０（２４）や三角コーナ容器３２などのサイズに応じて、対応するサイズの外側押圧部を選択してこれを内側押圧部８（８Ａ）に取り付けるようにしてもよい。
【００３５】
また例えば、上記各実施形態では、ロッド部４の下端部に内側押圧部８（８Ａ）を固定的に取り付けるように構成したが、ロッド部４の下端部に内側押圧部８（８Ａ）を着脱自在に取り付けるように構成してもよい。
【図面の簡単な説明】
【００３６】
【図１】本考案の第１の実施形態による水切り具を示す斜視図である。
【図２】図１の水切り具を示す分解斜視図である。
【図３】図１の外側押圧部を内側押圧部に取り付けた状態で網カゴに溜まった生ゴミを脱水する状態を示す概略断面図である。
【図４】図４は、図１の外側押圧部を内側押圧部より取り外した状態で網カゴに溜まった生ゴミを脱水する状態を示す概略断面図である。
【図５】本考案の第２の実施形態による水切り具を示す分解斜視図である。
【図６】本考案の第３の実施形態による水切り具を示す斜視図である。
【符号の説明】
【００３７】
２，２Ａ，２Ｂ  水切り具
４  ロッド部
６，６Ａ，６Ｂ  押圧部
８，８Ａ  内側押圧部
１０，１０Ａ，１０Ｂ  外側押圧部
１２  雄ねじ部
１６  雌ねじ部
２８  ロック用突部
３０  ロック用凹部
【図１】
0003134979.tif 000003
【図２】
0003134979.tif 000004
【図３】
0003134979.tif 000005
【図４】
0003134979.tif 000006
【図５】
0003134979.tif 000007
【図６】
0003134979.tif 000008